(57)【要約】【課題】比較的長いスパンであっても、覆蓋部材間の段差を小さくすることができ、十分な荷重強度を確保できる可動式の覆蓋部材を使用した水槽覆蓋システムを提供する。【解決手段】覆蓋部材１４Ａ，１４Ｂ，１４Ｃにはそれぞれ、開口１２ａを覆う天板１５Ａ，１５Ｂ，１５Ｃと、各天板１５Ａ，１５Ｂ，１５Ｃから下方に延びる各一対の脚板１６Ａ，１６Ｂ，１６Ｃとが少なくとも設けられ、覆蓋部材１４Ｂ，１４Ｃの天板１５Ｂ，１５Ｃには、開口１２ａを跨ぐ方向に伸び且つ回動可能に取り付けられた回動補強板２０Ｂｂ，２０Ｃｂがそれぞれ設けられ、覆蓋部材１４Ｂ，１４Ｃにそれぞれ覆蓋部材１４Ａ，１４Ｂが収納される際に各回動補強板２０Ｂｂ，２０Ｃｂが各天板１５Ｂ，１５Ｃに沿って折り畳まれ、かつ、被収納部材として機能する覆蓋部材１４Ａ，１４Ｂが引き出される際に各回動補強板２０Ｂｂ，２０Ｃｂが自重に基づき垂下される。【選択図】図７
2008074424.tif 000002
【特許請求の範囲】
【請求項１】
水処理施設用水槽の略矩形状の上部開口を跨いで覆う少なくとも２つ以上の覆蓋部材が前記開口を跨ぐ方向に存在する一対の周縁部に沿って移動可能に設けられ、
前記覆蓋部材の一方は前記覆蓋部材の他方を収納する収納部材として機能し、前記覆蓋部材の他方は前記覆蓋部材の一方に収納される被収納部材として機能し、
前記被収納部材として機能する覆蓋部材と前記収納部材として機能する覆蓋部材とを相対移動させることにより前記開口を開閉する水槽覆蓋システムであって、
前記覆蓋部材には、前記開口を覆う天板と、該天板から下方に延びる一対の脚板とが少なくとも設けられ、
前記収納部材として機能する覆蓋部材の天板には、前記開口を跨ぐ方向に伸び且つ回動可能に取り付けられた回動補強板が設けられ、
前記収納部材として機能する覆蓋部材に前記被収納部材として機能する覆蓋部材が収納される際に前記回動補強板が天板に沿って折り畳まれ、かつ、前記被収納部材として機能する覆蓋部材が引き出される際に前記回動補強板が自重に基づき垂下されることを特徴とする水槽覆蓋システム。
【請求項２】
前記回動補強板が垂下した状態で前記一対の脚板に固定可能とされていることを特徴とする請求項１に記載された水槽覆蓋システム。
【発明の詳細な説明】
【技術分野】
【０００１】
本発明は、水処理施設用水槽の上部開口を覆う可動式の覆蓋部材を使用した水槽覆蓋システムに関する。
【背景技術】
【０００２】
従来から、水処理施設用水槽の上部開口を覆う可動式の覆蓋部材を使用した水槽覆蓋システムが知られている。
【０００３】
水処理施設のうち、例えば、下水処理施設には、沈砂槽、沈殿槽、生物反応槽などの大型水槽が設置されている。これらの水槽の上部開口は、安全上、衛生上、或いは、環境上などの観点から覆蓋部材によって覆われている。
【０００４】
図１において、１は水処理施設、２は水槽、３ａ，３ｂ，３ｃはレール部材、４Ａ，４Ｂ，４Ｃは覆蓋部材である。
【０００５】
本従来例に係る水槽覆蓋システムは、各一対のレール部材３ａ，３ｂ，３ｃと、複数の覆蓋部材４Ａ，４Ｂ，４Ｃとによって構成されている。
【０００６】
水槽２は上部に開口２ａを有しており、開口２ａは略矩形状を呈している。
【０００７】
水槽２を囲う周縁部のうち互いに対向する周縁部２ｂ，２ｂには、開口２ａを挟んで両側に一対のレール部材３ａ，３ａが敷設されており、レール部材３ａ，３ａの両外側にはレール部材３ｂ，３ｂが敷設され、更に、レール部材３ｂ，３ｂの両外側にはレール部材３ｃ，３ｃが敷設されている。
【０００８】
開口２ａの上部には、覆蓋部材４Ａ，４Ｂ，４Ｃが複数設けられており、覆蓋部材４Ａ，４Ｂ，４Ｃは周縁部２ｂ，２ｂ間を跨いで開口２ａを覆っている。
【０００９】
そして、覆蓋部材４Ａ，４Ｂ，４Ｃは、各一対のレール部材３ａ，３ｂ，３ｃに沿って、すなわち、開口２ａを跨ぐ方向に存在する一対の周縁部２ｂ，２ｂに沿って移動可能となっている。
【００１０】
覆蓋部材４Ａは覆蓋部材４Ｂの内部に収納可能となっており、覆蓋部材４Ｂは覆蓋部材４Ｃの内部に収納可能となっている。
【００１１】
本従来例の水槽覆蓋システムでは、これらの覆蓋部材４Ａ，４Ｂ，４Ｃをそれぞれ相対的に移動させることにより、開口２ａを開閉するようになっている。
【００１２】
覆蓋部材４Ａは、天板５Ａと、脚板６Ａとを有しており、これらは、いずれもＦＦＵ（Ｆｉｂｅｒ  ｒｅｉｎｆｏｒｃｅｄ  Ｆｏａｍｅｄ  Ｕｒｅｔｈａｎｅ：繊維強化発泡ウレタン）によって形成されている。
【００１３】
天板５Ａと、脚板６Ａ，６Ａとは平面視形状が略長方形状を呈している。
【００１４】
一対の脚板６Ａ，６Ａは、天板５Ａの長手方向両端部に接合されており、それぞれ天板５Ａの下面側に向かって立設されている。
【００１５】
各脚板６Ａの下端部には、この下端部の長手方向両端付近に、一対の車輪（図示省略）がそれぞれ取り付けられている。
【００１６】
覆蓋部材４Ｂ，４Ｃの構成は覆蓋部材４Ａの構成と略同一であるので説明を省略するが、以下の説明では、対応する部分には対応した符号を用いて説明する。例えば、覆蓋部材４Ｂの天板５Ｂに対応させて、覆蓋部材４Ｃの天板の符号を５Ｃなどとする。
【００１７】
覆蓋部材４Ａはレール部材３ａ，３ａ上に載置され、覆蓋部材４Ｂはレール部材３ｂ，３ｂ上に載置され、覆蓋部材４Ｃはレール部材３ｃ，３ｃ上に載置されている。
【００１８】
覆蓋部材４Ａ，４Ｂ，４Ｃは、それぞれ高さと開口２ａを跨ぐ方向の長さとが異なっており、覆蓋部材４Ａ，４Ｂ，４Ｃをレール部材３ａ，３ｂ，３ｃ上で移動させる際に高さ方向や長さ方向には互いに干渉しないようになっている。
【００１９】
本従来例に係る覆蓋部材４Ａ，４Ｂ，４Ｃは、幅（移動方向の長さ）が約１ｍ、スパン（架け渡し方向の長さ）が約２ｍ程度になっており、天板５Ａ，５Ｂ，５Ｃの厚さは１ｃｍ程度になっている。
【００２０】
例えば水槽の保守点検の際には、覆蓋部材４Ａと覆蓋部材４Ｂとを覆蓋部材４Ｃの内部に収納することにより水槽の上部を開放して水槽の点検を行う。
【００２１】
この他に水槽覆蓋システムに関連するものとしては、大型の覆蓋部材でも比較的小さい力で移動させることが可能な貯水槽用の覆蓋部材が知られている（特許文献１参照）。
【特許文献１】特開２００５−８２４５号公報
【発明の開示】
【発明が解決しようとする課題】
【００２２】
ところで、覆蓋部材の強度は、保守点検などの際に作業者が覆蓋部材の上に載ることを前提として決められている。
【００２３】
近年、浄水場や下水処理場などの水処理施設において、設備の大型化に伴い大型の水槽が設置されるようになり、６ｍ以上のスパンの覆蓋部材が必要となっている。
【００２４】
従来例の水槽用覆蓋システムでは、覆蓋部材４Ａ，４Ｂ，４Ｃのスパンが２ｍ以下の場合には、厚さ約１ｃｍの天板５Ａ，５Ｂ，５Ｃであっても強度は十分であり、図２（ａ）に示すように、天板５Ａ，５Ｂ，５Ｃは撓まない。
【００２５】
しかしながら、幅が約１ｍに対してスパンを２ｍより長く、例えば、６ｍ程度にすると、厚さ約１ｃｍの天板５Ａ，５Ｂ，５Ｃでは強度が不十分となり、図２（ｂ）に示すように、天板５Ａ，５Ｂ，５Ｃの中央部に自重による撓みが生じてしまうという問題があった。
【００２６】
しかも、保守点検などの際に覆蓋部材４Ａ，４Ｂ，４Ｃの上に作業者が載るには強度が不十分であった。
【００２７】
そこで、図２（ｃ）に示すように、覆蓋部材４Ａ，４Ｂ，４Ｃに補強のために長手方向に沿って梁板７Ａ，７Ｂ，７Ｃを設けると、天板５Ａと梁板７Ｂとの干渉や、天板５Ｂと梁板７Ｃとの干渉を避けるために、天板５Ａに対して天板５Ｂの高さを梁板７Ｂ分だけ高くし、天板５Ｂに対して天板５Ｃの高さを梁板７Ｃ分だけ高くする必要が生じる。
【００２８】
しかも、スパンが長くなればなるほど、強度を確保するために梁板７Ａ，７Ｂ，７Ｃの高さを高くする必要があり、梁板７Ａ，７Ｂ，７Ｃの高さを高くすると、一層、天板５Ａ，５Ｂ，５Ｃ間の段差が大きくなってしまう。
【００２９】
このように、補強のために梁板７Ａ，７Ｂ，７Ｃを設けると、天板５Ａ，５Ｂ，５Ｃ間の段差が大きくなって、保守点検などの際に、作業者が覆蓋部材４Ａ，４Ｂ，４Ｃ上に載って作業をする場合に、足下が悪くなってしまうという問題があった。
【００３０】
そこで本発明では、比較的長いスパンであっても、覆蓋部材間の段差を小さくすることができ、十分な荷重強度を確保できる可動式の覆蓋部材を使用した水槽覆蓋システムを提供することを課題としている。
【課題を解決するための手段】
【００３１】
上記目的を達成するために請求項１に記載された発明は、水処理施設用水槽の略矩形状の上部開口を跨いで覆う少なくとも２つ以上の覆蓋部材が前記開口を跨ぐ方向に存在する一対の周縁部に沿って移動可能に設けられ、
前記覆蓋部材の一方は前記覆蓋部材の他方を収納する収納部材として機能し、前記覆蓋部材の他方は前記覆蓋部材の一方に収納される被収納部材として機能し、
前記被収納部材として機能する覆蓋部材と前記収納部材として機能する覆蓋部材とを相対移動させることにより前記開口を開閉する水槽覆蓋システムであって、
前記覆蓋部材には、前記開口を覆う天板と、該天板から下方に延びる一対の脚板とが少なくとも設けられ、
前記収納部材として機能する覆蓋部材の天板には、前記開口を跨ぐ方向に伸び且つ回動可能に取り付けられた回動補強板が設けられ、
前記収納部材として機能する覆蓋部材に前記被収納部材として機能する覆蓋部材が収納される際に前記回動補強板が天板に沿って折り畳まれ、かつ、前記被収納部材として機能する覆蓋部材が引き出される際に前記回動補強板が自重に基づき垂下されることを特徴とする水槽覆蓋システムを特徴としている。
【００３２】
そして、請求項２に記載された発明は、前記回動補強板が垂下した状態で前記一対の脚板に固定可能とされている請求項１に記載された水槽覆蓋システムを特徴としている。
【発明の効果】
【００３３】
このように構成された本発明の請求項１に記載されたものは、収納部材から被収納部材が引き出された際には、収納部材の回動補強板が自重によって垂下した状態になるので、この垂下した回動補強板により、収納部材の天板が上からの荷重に対して補強され、開口を跨ぐ方向の長さが比較的長い覆蓋部材であっても、自重により天板が撓むことはなく、天板に保守点検を行う作業者が載っても撓まない十分な強度が得られる。
【００３４】
また、収納部材に被収納部材が収納された際には、収納部材の回動補強板が回動して天板に沿って折り畳まれ、被収納部材の天板と収納部材の回動補強板との高さ方向の干渉が回避されるので、被収納部材の天板と収納部材の天板との段差を垂下時の回動補強板の高さ分だけ小さくすることができる。
【００３５】
そして、被収納部材の天板と収納部材の天板との段差を小さくすると、保守点検を行う作業者が覆蓋部材上を歩くのに足下がよい。
【００３６】
更に、請求項２に記載されたものは、回動補強板が一対の脚板に固定可能とされているので、回動補強板を一対の脚板に固定することによって、回動補強板が不必要に動いてしまうのを防ぐことができる。
【００３７】
また、回動補強板を一対の脚板に固定することによって、天板が回動補強板を介して一対の脚板に固定されるので、上からの荷重に対する天板の強度を一層強くすることができる。
【発明を実施するための最良の形態】
【００３８】
以下、本発明に係る実施の形態を実施例に基づいて説明する。
【実施例】
【００３９】
〈構成〉
図３において、１１は水処理施設、１２は水槽、１３ａ，１３ｂ，１３ｃはレール部材、１４Ａ，１４Ｂ，１４Ｃは覆蓋部材である。
【００４０】
本実施例に係る水槽覆蓋システムは、各一対のレール部材１３ａ，１３ｂ，１３ｃと、複数の覆蓋部材１４Ａ，１４Ｂ，１４Ｃとによって構成されている。
【００４１】
水槽１２は上部に開口１２ａを有しており、開口１２ａは略矩形状を呈している。
【００４２】
水槽１２を囲う周縁部のうち互いに対向する周縁部１２ｂ，１２ｂには、開口１２ａを挟んで両側に一対のレール部材１３ａ，１３ａが敷設されており、レール部材１３ａ，１３ａの両外側にはレール部材１３ｂ，１３ｂが敷設され、更に、レール部材１３ｂ，１３ｂの両外側にはレール部材１３ｃ，１３ｃが敷設されている。
【００４３】
開口１２ａの上部には、覆蓋部材１４Ａ，１４Ｂ，１４Ｃが複数設けられており、覆蓋部材１４Ａ，１４Ｂ，１４Ｃは周縁部１２ｂ，１２ｂ間を跨いで開口１２ａを覆っている。
【００４４】
そして、覆蓋部材１４Ａ，１４Ｂ，１４Ｃは、各一対のレール部材１３ａ，１３ｂ，１３ｃに沿って、すなわち、開口１２ａを跨ぐ方向に存在する一対の周縁部１２ｂ，１２ｂに沿って移動可能となっている。
【００４５】
覆蓋部材１４Ｃは覆蓋部材１４Ｂを収納する収納部材として機能するようになっており、覆蓋部材１４Ｂは覆蓋部材１４Ｃに収納される被収納部材として機能する一方で覆蓋部材１４Ａを収納する収納部材として機能するようになっており、覆蓋部材１４Ａは覆蓋部材１４Ｂに収納される被収納部材として機能するようになっている。
【００４６】
本実施例の水槽覆蓋システムでは、これらの覆蓋部材１４Ａ，１４Ｂ，１４Ｃをそれぞれ相対的に移動させることにより、開口１２ａを開閉するようになっている。
【００４７】
図４に示すように、被覆蓋部材として機能する覆蓋部材１４Ａは、天板１５Ａと、脚板１６Ａと、梁板１７Ａと、補強部材１８Ａとを有しており、これらは、いずれもＦＦＵによって形成されている。
【００４８】
ＦＦＵ（Ｆｉｂｅｒ  ｒｅｉｎｆｏｒｃｅｄ  Ｆｏａｍｅｄ  Ｕｒｅｔｈａｎｅ）とは繊維強化発泡ウレタンのことであり、本実施例のＦＦＵ製板材は、繊維にガラス長繊維を用いている。
【００４９】
ＦＦＵは、束ねたガラス長繊維をほぐしながらウレタン樹脂を含浸させて発泡させた樹脂素材であり、木材と同程度の比重に成形可能であり、剛性が高く、薬品などに対する耐浸食性に優れている。
【００５０】
ＦＦＵは、エポキシ系接着剤との親和性がよく、更に、スクリュウ釘や木ネジなどによる接合が可能であり、穴開け加工や切断がドリルやノコギリなどによって容易に行うことができる。
【００５１】
図４に示すように、覆蓋部材１４Ａは、下側から見た際に、全体として架け渡し方向に伸びる略筐体形状を呈している。
【００５２】
天板１５Ａと、脚板１６Ａ，１６Ａと、梁板１７Ａ，１７Ａとは平面視形状が略長方形状を呈している。
【００５３】
一対の脚板１６Ａ，１６Ａは、天板１５Ａの長手方向両端部に接合されており、それぞれ天板１５Ａの下面側に向かって立設されている。
【００５４】
一対の梁板１７Ａ，１７Ａは、天板１５Ａの幅手方向両端部に接合されており、それぞれ天板１５Ａの下面側に向かって立設されており、脚板１６Ａの端部と梁板１７Ａの端部とは覆蓋部材１４Ａの角部においてそれぞれ接合されている。
【００５５】
天板１５Ａの裏面側には、複数の補強部材１８Ａが、天板１５Ａの長手方向に沿ってハシゴ状に等間隔に並べて接合されており、各補強部材１８Ａの両端部はそれぞれ対向する梁板１７Ａ，１７Ａの各内側面に接合されている。
【００５６】
各脚板１６Ａの下端部には、この下端部の長手方向両端付近に、一対の車輪１９Ａ，１９Ａがそれぞれ取り付けられている。
【００５７】
車輪１９Ａは周方向に溝が設けられたプーリー様の形状を呈しており、レール部材１３ａの上に車輪１９Ａが載った際に、車輪１９Ａがレール部材１３ａの上端部から脱落しないようになっている。
【００５８】
図５に示すように、収納部材として機能する覆蓋部材１４Ｂは、天板１５Ｂと、脚板１６Ｂと、梁板１７Ｂと、補強部材１８Ｂと、支持板２０Ｂａと、回動補強板２０Ｂｂとを有している。これらは、いずれもＦＦＵによって形成されている。
【００５９】
天板１５Ｂと、脚板１６Ｂ，１６Ｂと、梁板１７Ｂと、回動補強板２０Ｂｂとは平面視形状が略長方形状を呈している。
【００６０】
一対の脚板１６Ｂ，１６Ｂは、天板１５Ｂの長手方向両端部に接合されており、それぞれ天板１５Ｂの下面側に向かって立設されている。
【００６１】
梁板１７Ｂと支持板２０Ｂａとは、天板１５Ｂの幅手方向両端部に接合されており、それぞれ天板１５Ｂの下面側に向かって立設されており、脚板１６Ｂの端部と梁板１７Ｂの端部と支持板２０Ｂａの端部とは覆蓋部材１４Ｂの角部においてそれぞれ接合されている。
【００６２】
天板１５Ｂの裏面側には、複数の補強部材１８Ｂが、天板１５Ｂの長手方向に沿ってハシゴ状に等間隔に並べて接合されており、各補強部材１８Ｂの両端部はそれぞれ対向する梁板１７Ｂと支持板２０Ｂａとの各内側面に接合されている。
【００６３】
梁板１７Ｂの内側面には、梁板１７Ｂの長手方向に沿って緩衝用のクッション部材２３Ｂが貼設されている。
【００６４】
各脚板１６Ｂの下端部には、この下端部の長手方向両端付近に、一対の車輪１９Ｂ，１９Ｂがそれぞれ取り付けられている。
【００６５】
車輪１９Ｂは周方向に溝が設けられたプーリー様の形状を呈しており、レール部材１３ｂの上に車輪１９Ｂが載った際に、車輪１９Ｂがレール部材１３ｂの上端部から脱落しないようになっている。
【００６６】
支持板２０Ｂａの長手方向に沿って長手方向一端から他端に渡って等間隔に複数のヒンジ２１Ｂが取り付けられている。
【００６７】
回動補強板２０Ｂｂは天板１５Ｂの長手方向（開口１２ａを跨ぐ方向）に伸びており、支持板２０Ｂａに複数のヒンジ２１Ｂを介して回動可能に取り付けられている。
【００６８】
回動補強板２０Ｂｂの両端部には、かんぬき受入金具２２Ｂａ，２２Ｂａがそれぞれ斜めに取付けられている。
【００６９】
各脚板１６Ｂ，１６Ｂのかんぬき受入金具２２Ｂａ，２２Ｂａに対応する位置には、それぞれ、かんぬき用穴２２Ｂｂ，２２Ｂｂが、かんぬき受入金具２２Ｂａ，２２Ｂａの傾斜に対応して斜め向きに形成されている。
【００７０】
回動補強板２０Ｂｂを脚板１６Ｂに固定する際には、かんぬき部材２２Ｂｃの握持部２２Ｂｄを持って、棒状部２２Ｂｅをかんぬき用穴２２Ｂｂとかんぬき受入金具２２Ｂａの嵌合部２２Ｂｆとに貫通させて嵌合固定するようになっている。
【００７１】
このように、回動補強板２０Ｂｂは天板１５Ｂから下方に向かって垂下した状態で脚板１６Ｂに固定可能となっている。
【００７２】
覆蓋部材１４Ｃの構成は覆蓋部材１４Ｂの構成と略同一であるので説明を省略するが、以下の説明では、対応する部分には対応した符号を用いて説明する。例えば、覆蓋部材１４Ｂの天板１５Ｂに対応させて、覆蓋部材１４Ｃの天板の符号を１５Ｃなどとする。
【００７３】
図３または図６に示すように、覆蓋部材１４Ａは覆蓋部材１４Ｂに収納可能となっており、覆蓋部材１４Ｂは覆蓋部材１４Ｃに収納可能となっている。
【００７４】
覆蓋部材１４Ａはレール部材１３ａ，１３ａ上に載置され、覆蓋部材１４Ｂはレール部材１３ｂ，１３ｂ上に載置され、覆蓋部材１４Ｃはレール部材１３ｃ，１３ｃ上に載置されている。
【００７５】
覆蓋部材１４Ａ，１４Ｂ，１４Ｃは、高さと開口１２ａを跨ぐ方向の長さとがそれぞれ異なっており、覆蓋部材１４Ａ，１４Ｂ，１４Ｃをレール部材１３ａ，１３ｂ，１３ｃ上で移動させる際に高さ方向や長さ方向には互いに干渉しないようになっている。
【００７６】
本実施例に係る覆蓋部材１４Ａ，１４Ｂ，１４Ｃは、幅（移動方向の長さ）が約１ｍ、スパン（架け渡し方向の長さ）が約６ｍ程度になっており、天板１５Ａ，１５Ｂ，１５Ｃの厚さは１ｃｍ程度になっている。
【００７７】
〈使用方法〉
通常は、水槽１２の開口１２ａが複数の覆蓋部材１４Ａ，１４Ｂ，１４Ｃによって覆われた状態になっているが、水槽１２の保守点検などの際には、いくつかの覆蓋部材１４Ａ，１４Ｂ，１４Ｃを移動させて、開口１２ａを開放して保守点検作業を行なう。
【００７８】
複数の覆蓋部材１４Ａ，１４Ｂ，１４Ｃのうち、例えば、隣接している３つの覆蓋部材１４Ａ，１４Ｂ，１４Ｃについて、覆蓋部材１４Ａと覆蓋部材１４Ｂとを覆蓋部材１４Ｃの内部に収納する場合を説明する。
【００７９】
まず、覆蓋部材１４Ｂのかんぬき部材２２Ｂｃを引き抜いて回動補強板２０Ｂｂを回動可能とし、図７（ａ）に示すように、覆蓋部材１４Ａを覆蓋部材１４Ｂに向けて移動させると、覆蓋部材１４Ａが覆蓋部材１４Ｂの回動補強板２０Ｂｂを押込みながら、覆蓋部材１４Ｂの内部に入り込む。
【００８０】
このように被収納部材として機能する覆蓋部材１４Ａが収納部材として機能する覆蓋部材１４Ｂに収納される際に覆蓋部材１４Ｂの回動補強板２０Ｂｂが天板１５Ｂに沿って折り畳まれる。
【００８１】
そして、図７（ｂ）に示すように、覆蓋部材１４Ａの梁板１７Ａの外側面が覆蓋部材１４Ｂの梁板１７Ｂの内側面に設けられたクッション部材２３Ｂに突き当たるまで覆蓋部材１４Ａを押し込む。
【００８２】
次に、覆蓋部材１４Ｃのかんぬき部材２２Ｃｃを引き抜いて回動補強板２０Ｃｂを回動可能とし、図７（ｃ）に示すように、覆蓋部材１４Ａと共に覆蓋部材１４Ｂを覆蓋部材１４Ｃに向けて移動させると、覆蓋部材１４Ｂが覆蓋部材１４Ｃの回動補強板２０Ｃｂを押込みながら、覆蓋部材１４Ｂが覆蓋部材１４Ｃの内部に入り込む。
【００８３】
このように被収納部材として機能する覆蓋部材１４Ｂが収納部材として機能する覆蓋部材１４Ｃに収納される際に覆蓋部材１４Ｃの回動補強板２０Ｃｂが天板１５Ｃに沿って折り畳まれる。
【００８４】
そして、覆蓋部材１４Ｂの梁板１７Ｂの外側面が覆蓋部材１４Ｃの梁板１７Ｃの内側面に設けられたクッション部材２３Ｃに突き当たるまで覆蓋部材１４Ｂを押し込む。
【００８５】
このようにして、覆蓋部材１４Ａと覆蓋部材１４Ｂとを覆蓋部材１４Ｃの内部に収納する。
【００８６】
水槽１２の保守点検が終了したら、開口１２ａを再び複数の覆蓋部材１４Ａ，１４Ｂ，１４Ｃによって覆う。
【００８７】
まず、覆蓋部材１４Ａを覆蓋部材１４Ｂの内部から引き出す。
【００８８】
このように収納部材として機能する覆蓋部材１４Ｂから被収納部材として機能する覆蓋部材１４Ａが引き出される際に回動補強板２０Ｂｂが自重に基づき垂下される。
【００８９】
そして、かんぬき部材２２Ｂｃをかんぬき用穴２２Ｂｂから差し込んで、かんぬき受入金具２２Ｂａに嵌合させて、回動補強板２０Ｂｂを脚板１６Ｂに固定する。
【００９０】
次に、覆蓋部材１４Ｂを覆蓋部材１４Ｃの内部から引き出す。
【００９１】
このように収納部材として機能する覆蓋部材１４Ｃから被収納部材として機能する覆蓋部材１４Ｂが引き出される際に回動補強板２０Ｃｂが自重に基づき垂下される。
【００９２】
そして、かんぬき部材２２Ｃｃをかんぬき用穴１６Ｃｂから差し込んで、かんぬき受入金具２２Ｃａに嵌合させて、覆蓋部材１４Ｃの回動補強板２０Ｃｂを脚板１６Ｃに固定する。
【００９３】
このような作業を繰り返し、複数の覆蓋部材１４Ａ，１４Ｂ，１４Ｃを移動し、互いに隣接配置させることによって開口１２ａを覆う。
【００９４】
〈作用効果〉
図８（ｃ）に示されるように、例えば、覆蓋部材１４Ｃから覆蓋部材１４Ｂが引き出された場合には、覆蓋部材１４Ｃの回動補強板２０Ｃｂが自重によって垂下した状態になる。
【００９５】
この状態における天板１５Ｃの上端面から回動補強板２０Ｃｂの下端縁までの長さｃは、従来例の天板５Ｃの厚さａ（図８（ａ）参照）に比べて十分に長いので、天板１５Ｃが、この垂下した回動補強板２０Ｃｂにより、上からの荷重に対して補強され、スパンが比較的長い覆蓋部材１４Ｃであっても、自重により天板１５Ｃが撓むことはなく、天板１５Ｃに保守点検を行う作業者が載っても撓まない十分な強度が得られる。
【００９６】
同様に、覆蓋部材１４Ｂについても、自重により撓むことはなく、保守点検を行う作業者が載っても撓まない十分な強度が得られる。
【００９７】
また、覆蓋部材１４Ｃに覆蓋部材１４Ｂが収納された場合には、図６または図８（ｂ）に示されるように、覆蓋部材１４Ｃの回動補強板２０Ｃｂが回動して天板１５Ｃに沿って折り畳まれ、覆蓋部材１４Ｂの天板１５Ｂと覆蓋部材１４Ｃの回動補強板２０Ｃｂとの高さ方向の干渉が回避されるので、天板１５Ｂと天板１５Ｃとの段差を垂下時の回動補強板２０Ｃｂの高さ分だけ小さくすることができる。
【００９８】
同様に、覆蓋部材１４Ｂに覆蓋部材１４Ａが収納された場合には、天板１５Ａと天板１５Ｂとの段差を垂下時の回動補強板２０Ｂｂの高さ分だけ小さくすることができる。
【００９９】
したがって、従来例の覆蓋部材４Ａ，４Ｂ，４Ｃにおいて、それぞれ梁板７Ａ，７Ｂ，７Ｃを設けた場合の天板５Ａ，５Ｂ，５Ｃ間の段差（図９（ａ）参照）に比べて、本実施例の天板１５Ａ，１５Ｂ，１５Ｃ間の段差（図９（ｂ）参照）を小さくすることができて、保守点検を行う作業者が覆蓋部材上を歩くのに足下がよい。
【０１００】
更に、覆蓋部材１４Ｂの回動補強板２０Ｂｂが一対の脚板１６Ｂ，１６Ｂに固定可能とされているので、回動補強板２０Ｂｂを一対の脚板１６Ｂ，１６Ｂに固定することによって、回動補強板２０Ｂｂが不必要に動いてしまうのを防ぐことができる。
【０１０１】
また、天板１５Ｂが回動補強板２０Ｂｂを介して一対の脚板１６Ｂ，１６Ｂに固定されるので、上からの荷重に対する天板１５Ｂの強度を一層強くすることができる。
【０１０２】
覆蓋部材１４Ｃについても同様に、回動補強板２０Ｃｂが不必要に動いてしまうのを防ぐことができ、上からの荷重に対する天板１５Ｃの強度を一層強くすることができる。
【０１０３】
しかも、かんぬき部材２２Ｂｃ，２２Ｃｃによる嵌合固定だけで、簡単に、回動補強板２０Ｂｂ，２０Ｃｂを固定することができるので、覆蓋部材１４Ａ，１４Ｂを収納する作業や、引き出す作業をスムーズに行うことができ、開口１２ａの開閉作業の作業効率がよい。
【０１０４】
以上、図面を参照して、本発明の最良の実施の形態を詳述してきたが、具体的な構成は、この実施の形態に限らず本発明の要旨を逸脱しない程度の設計的変更は本発明に含まれる。
【０１０５】
なお、本実施例では、回動補強板２０Ｂｂ，２０Ｃｂを天板１５Ｂ，１５Ｃの幅手方向端部側に設けたが、必ずしも端部側に設ける必要はない。また、梁板１７Ｂ，１７Ｃを必ずしも設ける必要ではない。例えば、図１０に示す覆蓋部材１４Ｂの変形例のように回動補強板２０Ｂｂを天板１５Ｂの幅手方向中央部に設けてもよい。
【０１０６】
また、本実施例では、回動補強板２０Ｂｂ，２０Ｃｂを天板１５Ｂ，１５Ｃの幅手方向片側に設けたが、必ずしも、片側だけでなくてもよい。例えば、回動補強板２０Ｂｂ，２０Ｃｂを天板１５Ｂ，１５Ｃの幅手方向両側に設けてもよい。
【０１０７】
そして、本実施例では、覆蓋部材１４Ａ，１４Ｂ，１４Ｃの材料にＦＦＵを用いたが、材料の素材はＦＦＵに限らない。例えば、他の樹脂素材や、木材、アルミニューム板であってもよい。
【０１０８】
更に、本実施例では、覆蓋部材１４Ａ，１４Ｂ，１４Ｃの移動機構をレール部材１３ａ，１３ｂ，１３ｃと車輪１９Ａ，１９Ｂ，１９Ｃとによって構成したが、覆蓋部材１４Ａ，１４Ｂ，１４Ｃの移動機構はどのようなものであってもよい。例えば、電動によって開閉が行われてもよい。
【０１０９】
また、本実施例では、覆蓋部材１４Ａ，１４Ｂを移動させて覆蓋部材１５Ｃの内部に収納したが、覆蓋部材１４Ａ，１４Ｂ，１４Ｃのうち、どの覆蓋部材を移動させて収納してもよい
そして、本実施例では、かんぬき部材２２Ｂｃ，２２Ｃｃの嵌合によって回動補強板２０Ｂｂ，２０Ｃｂを固定したが、固定方法はどのような方法であってもよい。例えばネジによる螺合固定であってもよい。
【図面の簡単な説明】
【０１１０】
【図１】従来例の水槽覆蓋システムの斜視図である。
【図２】従来例の水槽覆蓋システムの問題点を説明する図であり、（ａ）は図１のＡ−Ａ線に沿った断面図、（ｂ）は覆蓋部材のスパンを長くした場合の図、（ｃ）は覆蓋部材の高さとスパンとを長くすると共に梁板を設けた場合の図である。
【図３】本発明の水槽覆蓋システムの斜視図である。
【図４】本発明に係る被収納部材として機能する覆蓋部材を下側から見た斜視図である。
【図５】本発明に係る収納部材として機能する覆蓋部材を下側から見た斜視図である。
【図６】図３のＢ−Ｂ線に沿った断面図である。
【図７】本発明の水槽覆蓋システムの使用方法を説明する図であり、図３のＢ−Ｂ線に沿った断面図である。（ａ）は収納前の状態を表し、（ｂ）は被収納部材として機能する覆蓋部材を収納部材として機能する中央の覆蓋部材の内部に収納した状態を表し、（ｃ）は、更に中央の覆蓋部材を収納部材として機能する他の覆蓋部材に収納した状態を表している。
【図８】本発明の水槽覆蓋システムの作用効果を説明する図であり、（ａ）は従来例の水槽覆蓋システムにおいて覆蓋部材のスパンを長くした場合の図、（ｂ）は本実施例の収納部材として機能する覆蓋部材の回動補強板が垂下した状態の図、（ｃ）は本実施例の収納部材として機能する覆蓋部材の回動補強板が天板に沿って折り畳まれた状態の図である。
【図９】本発明の水槽覆蓋システムの作用効果を説明する図であり、（ａ）は従来例において、高さとスパンとを長くすると共に梁板を設けた覆蓋部材を用いた場合の収納状態の図、（ｂ）は本発明の覆蓋部材を用いた場合の収納状態の図である。
【図１０】本発明に係る収納部材として機能する覆蓋部材の一変形例の斜視図である。
【符号の説明】
【０１１１】
１１                            水処理施設
１２                            水槽
１２ａ                          開口
１４Ａ，１４Ｂ，１４Ｃ          覆蓋部材
１２ｂ，１２ｂ                  周縁部
１５Ａ，１５Ｂ，１５Ｃ          天板
１６Ａ，１６Ｂ，１６Ｃ          脚板
２０Ａｂ，２０Ｂｂ，２０Ｃｂ    回動補強板
【図１】
2008074424.tif 000003
【図２】
2008074424.tif 000004
【図３】
2008074424.tif 000005
【図４】
2008074424.tif 000006
【図５】
2008074424.tif 000007
【図６】
2008074424.tif 000008
【図７】
2008074424.tif 000009
【図８】
2008074424.tif 000010
【図９】
2008074424.tif 000011
【図１０】
2008074424.tif 000012